(57)【要約】【課題】左側枠材と右側枠材の間に弾性布帛を張設して座面を構成したシートにおいて、機構が単純で実施し易く、姿勢が傾き加減になった際に沈込量が減って相対的に浮き上がり状態におかれる弾性布帛の左右片側から身体に作用する押上反力Ｎ1 を抑える反力抑制効果が充分な反力抑制手段を提供する。【解決手段】シートフレーム１６に支持される左側枠材１１と右側枠材１２の間に弾性布帛１３を張設して座面１４を構成する。その左側枠材１１と右側枠材１２に挟まれる弾性布帛１３の中間部分の裏面の左右にそれぞれ弾性引込材１５ａ・１５ｂの一端を接合する。それら左右の弾性引込材１５ａ・１５ｂの各他端を、互いに逆向きとなる方向に向け、それぞれシートフレーム１６に接合する。【選択図】図２
2008093058.tif 000002
【特許請求の範囲】
【請求項１】
（ａ）  シートフレーム（１６）に支持される左側枠材（１１）と右側枠材（１２）の間に弾性布帛（１３）が張設されて座面（１４）が構成されており、
（ｂ）  左側枠材（１１）と右側枠材（１２）に挟まれる弾性布帛（１３）の中間部分の裏面の左右にそれぞれ弾性引込材（１５ａ・１５ｂ）の一端が接合されており、
（ｃ）  それら左右の弾性引込材（１５ａ・１５ｂ）の各他端が、互いに逆向きとなる方向に向けられて、それぞれシートフレーム（１６）に接合されている乗り物用シート。
【請求項２】
左側枠材（１１）と右側枠材（１２）が向き合う方向（Ｗ）における弾性布帛（１３）の１０％伸長時の伸長応力が１００〜４００Ｎ／５ｃｍである前掲請求項１に記載の乗り物用シート。
【請求項３】
弾性引込材（１５）の弾性布帛裏面（１３）との接合点（２１）とシートフレーム（１６）との接合点（２２）が向き合う方向（Ｘ）における弾性引込材（１５）の１０％伸長時の伸長応力が、左側枠材（１１）と右側枠材（１２）が向き合う方向（Ｗ）における弾性布帛（１３）の１０％伸長時の伸長応力よりも大きい前掲請求項１と２の何れかに記載の乗り物用シート。
【請求項４】
左側枠材（１１）と右側枠材（１２）の弾性布帛（１３）に向き合う表面が、それらの外側縁（３１・３２）から内側縁（４１・４２）に向けて低くなる斜面になっている前掲請求項１と２と３の何れかに記載の乗り物用シート。
【請求項５】
左側枠材（１１）の内側縁（４１）と右側枠材（１２）の内側縁（４２）が、それぞれ座面（１４）の中央部に向けて突き出ており、
弾性引込材（１５）の弾性布帛裏面（１３）との接合点（２１）とシートフレーム（１６）との接合点（２２）が、それぞれ左右の側枠材（１１・１２）の内側縁（４１・４２）よりも外側縁（３１・３２）に偏った位置に設定されている前掲請求項１と２と３と４の何れかに記載の乗り物用シート。
【発明の詳細な説明】
【技術分野】
【０００１】
本発明は、主として自動車、列車、航空機、船舶等に適用される乗り物用シートに関するものである。
【背景技術】
【０００２】
シートフレームに支持される左側枠材と右側枠材の間に弾性布帛を張設して座面を構成したシートは、自動車、列車、航空機、船舶等に使用されている。
この種のシートでは、座面に身体を載せると弾性布帛が緊張し、その緊張状態にある弾性布帛からの反力Ｎに押し上げられるように身体が支えられる。
その載せた姿勢が左右片側に傾き加減になると、傾いた片側に体重Ｇ2 の多くが作用して弾性布帛が大きく沈み込み、その左右反対側では弾性布帛が相対的に浮き上がる。
【０００３】
そのように片側が相対的に浮き上がるとは言え、姿勢が左右何れの片側に傾いても弾性布帛全体に加わる体重自体が変化することはないので、弾性布帛のテンション（張力）自体も然程変化せず、その沈込量が減って相対的に浮き上がった片側も依然として強い緊張状態におかれる。
このため、姿勢が傾いて沈込量が増えた片側では、弾性布帛からの強い反力Ｎ2 が身体に作用することになるが、沈込量が減って相対的に浮き上がった片側からも、依然として身体を押し上げようとする反力Ｎ1 が弾性布帛から身体に作用する（図１−ａ）。
そのバランスを失った状態では、僅かな外力が作用しても姿勢が大きく崩れる。
【０００４】
このため、運行使用中の乗り物は左右に大きく揺れ動くことが多いこともあって、弾性布帛を張設してなるシートでは、姿勢を傾き加減になって相対的に浮き上がり状態におかれた弾性布帛の左右片側から身体に作用する押上反力Ｎ1 を抑えるための反力抑制手段が必要とされる（例えば、特許文献１参照）。
【０００５】
【特許文献１】特開２００１−１４９１６７号公報
【発明の開示】
【発明が解決しようとする課題】
【０００６】
上記特開２００１−１４９１６７号公報（特許文献１）には、座面を構成する弾性布帛の一部を一部材とし、座面の裏側の左右側枠材間にベルトを架設し、その弾性布帛の一部とベルトを繋いでエンドレスベルト状に構成した反力抑制手段が開示されている。
この反力抑制手段は、座面の左右に加わる外力（体重）Ｇ1 ・Ｇ2 に差異が生じると、その左右の外力（体重）の差（Ｇ1 〜Ｇ2 ）がベルトを介して座面左右の片側から他の片側へと伝わり、その左右の外力（体重）の差（Ｇ1 〜Ｇ2 ）が解消される構成になっている。
【０００７】
しかし、この反力抑制手段では、左右の外力（体重）の差（Ｇ1 〜Ｇ2 ）に起因する弾性布帛の左右のテンションの差が解消されるとしても、その左右の外力（体重）の差（Ｇ1 〜Ｇ2 ）に起因して片側が相対的に浮き上がるのを防ぐ反力抑制手段としての効果は期待し難い。
加えて、この反力抑制手段の構造が複雑であり、又、乗り物用シートの座面の裏側にエンドレスベルトを配置するためのスペースを確保し難いケースが多いので、その反力抑制手段としての実用性は疑問視される。
【０００８】
そこで本発明は、左側枠材と右側枠材の間に弾性布帛を張設して座面を構成したシートにおいて、機構が単純で実施し易く、弾性布帛の左右片側での相対的浮上を抑制する反力抑制効果が充分な反力抑制手段を提供することを目的とする。
【課題を解決するための手段】
【０００９】
本発明に係る乗り物用シートは、（ａ）  シートフレーム１６に支持される左側枠材１１と右側枠材１２の間に弾性布帛１３が張設されて座面１４が構成されており、（ｂ）
左側枠材１１と右側枠材１２に挟まれる弾性布帛１３の中間部分の裏面の左右にそれぞれ弾性引込材１５ａ・１５ｂの一端が接合されており、（ｃ）  それら左右の弾性引込材１５ａ・１５ｂの各他端が、互いに逆向きとなる方向に向けられて、それぞれシートフレーム１６に接合されていることを第１の特徴とする。
【００１０】
本発明に係る乗り物用シートの第２の特徴は、上記第１の特徴に加えて、左側枠材１１と右側枠材１２が向き合う方向Ｗにおける弾性布帛１３の１０％伸長時の伸長応力が１００〜４００Ｎ／５ｃｍである点にある。
【００１１】
本発明に係る乗り物用シートの第３の特徴は、上記第１および第２の何れかの特徴に加えて、弾性引込材１５の弾性布帛裏面１３との接合点２１とシートフレーム１６との接合点２２が向き合う方向Ｘにおける弾性引込材１５の１０％伸長時の伸長応力が、左側枠材１１と右側枠材１２が向き合う方向Ｗにおける弾性布帛１３の１０％伸長時の伸長応力よりも大きい点にある。
【００１２】
本発明に係る乗り物用シートの第４の特徴は、上記第１、第２および第３の何れかの特徴に加えて、左側枠材１１と右側枠材１２の弾性布帛１３に向き合う表面が、それらの外側縁３１・３２から内側縁４１・４２に向けて低くなるように傾斜角度φが付けられた斜面になっている点にある。
【００１３】
本発明に係る乗り物用シートの第５の特徴は、上記第１、第２、第３および第４の何れかの特徴に加えて、左側枠材１１の内側縁４１と右側枠材１２の内側縁４２が、それぞれ座面１４の中央部に向けて突き出ており、弾性引込材１５の弾性布帛裏面１３との接合点２１とシートフレーム１６との接合点２２が、それぞれ左右の側枠材１１・１２の内側縁４１・４２よりも外側縁３１・３２に偏った位置、つまり左右の側枠材１１・１２の下に隠れる位置に設定されている点にある。
【発明の効果】
【００１４】
弾性布帛１３の中間部分の裏面の左右にそれぞれ弾性引込材１５ａ・１５ｂの一端を接合し（図１−ｅ）、それら左右の弾性引込材１５ａ・１５ｂの各他端を、互いに逆向きとなる方向に向けて、それぞれシートフレーム１６に接合すると、弾性引込材１５は、弾性布帛との接合点２１とシートフレームとの接合点２２の間で引き伸ばされて緊張し、弾性布帛との接合点２１が弾性引込材１５に引き込まれ、その分だけ接合点２１・２１での座面１４が引き下げられる（図１−ｂ）。
【００１５】
その上に身体を載せると、座面１４は更に窪むが、弾性引込材１５は尚も緊張状態にある（図１−ｃ）。
その状態において姿勢が傾き、片側の接合点２１ｂに加わる体重が増えると、他の片側の接合点２１ａでは、その片側の接合点２１ｂに体重が移動して減った分だけ浮上可能な状態となる。
【００１６】
その場合、弾性引込材１５は、身体を左右に傾けずに載せて座面（２１ａ・２１ｂ）が窪んだ状態においても緊張状態にあるので（図１−ｃ）、姿勢が左右に傾いて浮上可能な状態では接合点２１ａを引き下げるように作用する（図１−ｄ）。
このため、左右何れの接合点（２１ｂ）に加わる体重が増えても、その他方の接合点２１ａから姿勢を不安定にしようとする強い反力Ｎは働かない。
【００１７】
このように、左右の弾性引込材１５ａ・１５ｂが弾性布帛の左右片側での相対的浮上を抑制する反力抑制手段としての機能を発揮し、その反力抑制手段としての構造が単純なので実施が容易であり、弾性引込材１５の伸縮・緊張変化が直接弾性布帛に伝わり、弾性布帛の左右片側での相対的浮上を抑制する反力抑制効果において即応性に優れた乗り物用シートが得られる。
【００１８】
弾性引込材１５は、弾性引込材１５ａ・１５ｂの一端を接合し、その他端をシートフレーム１６に接合して接合点２１・２１を引き下げてシートを調製した状態でも（図１−ｂ）、又、身体を載せて座面（２１ａ・２１ｂ）が窪んだ状態においても緊張状態にあることが望ましい（図１−ｃ）。
しかし、そうすべきことは必ずしも必要ではなく、姿勢が左右に傾いてバランスを失い、片側の接合点２１ａが浮上可能な危険な状態になった場合に（図１−ｄ，図１−ａ）、その浮上可能な状態の接合点２１ａに接合された弾性弾性引込材１５が緊張状態になるのであれば、弾性引込材１５は、それ以外の場合において（図１−ｂ，図１−ｃ）、無緊張（弛緩）状態におかれていてもよい。
【００１９】
そのためには、左側枠材１１と右側枠材１２を扁平断面形状にし、それら左側枠材１１の内側縁４１と右側枠材１２の内側縁４２を、それぞれ座面１４の中央部に向けて突き出し、弾性引込材１５の弾性布帛裏面１３との接合点２１とシートフレーム１６との接合点２２を、それぞれ左右の側枠材１１・１２の内側縁４１・４２よりも外側縁３１・３２に偏った左右の側枠材１１・１２の下に隠れる位置に設定し、接合点２１ａと接合点２１ｂの間の座面１４に対してシートフレーム１６に接合した弾性引込材１５とが成す交差角度θが２０〜６０度になるようにするとよい。
【００２０】
１０％伸長時の伸長応力が１００〜４００Ｎ／５ｃｍの弾性布帛１３では、その上に身体を載せても座面１４が大きく沈むことがなく、身体を多少左右に傾けても浮上可能な危険な状態の接合点２１ａから受ける反力Ｎも少なくなるので、シートから受ける安定感が大きくなる。
【００２１】
１０％伸長時の伸長応力が弾性布帛１３の１０％伸長時の伸長応力よりも大きい弾性材料を弾性引込材１５に使用すると、片側の接合点２１ａが浮上可能な危険な状態になった場合に（図１−ｄ）、浮上しないように弾性引込材１５から接合点２１ａに作用する力Ｆも大きくなるので、弾性引込材１５の反力抑制手段としての効用が高まる。
【００２２】
左側枠材１１と右側枠材１２の弾性布帛１３に向き合う表面を、それらの外側縁３１・３２から内側縁４１・４２に向けて低くなる斜面にすると、弾性布帛１３の張設される左側枠材１１と右側枠材１２の間のスパンの寸法Ｐを大きくしても、その上に身体を載せて座面（２１ａ・２１ｂ）が窪んだ状態においては弾性布帛１３が左側枠材１１と右側枠材１２とに密着し、そのスパンの寸法Ｐは左側枠材の内側縁４１から右側枠材１２の内側縁４２までのスパンの寸法Ｑに変化し、その結果、左側枠材１１と右側枠材１２の間のスパンの寸法Ｐよりも幅が実質的に狭い弾性布帛１３を張設した場合と同然になる。
そのように、張設された弾性布帛１３の幅が実質的に狭くなると、座面に身体を載せた弾性布帛１３の使用状態において乗り物のフレームから伝わる振動を受けて姿勢が頻繁に揺れ動くことがあっても、その振動を受けて振動する弾性布帛１３の振幅幅（範囲）も少なくなる。
その結果、使用中に頻繁に揺れ動いても身体が大きく傾くことはなく安定に支えられ、身体を安定に維持するための緊張感から解放され、使用中に受ける疲労感も軽減する。
【発明を実施するための最良の形態】
【００２３】
弾性布帛と弾性引込材１５には、破断伸度が６０％以上であり、１５％伸長後の弾性回復率が９０％以上の弾性糸条、例えば、ゴム糸、ポリウレタン（スパンデックス）繊維糸条、ポリエーテルエステル型合成繊維糸条を用いるとよい。
しかし、好ましい弾性糸条は、破断伸度が低いポリエーテルエステル型合成繊維糸条である。
【００２４】
弾性布帛１３と弾性引込材１５は、弾性糸条の織編込まれた織物でも編物でもよく、その場合、弾性糸条は、その長さ方向を弾性布帛の経緯何れか一方向に向けて、織物や編物の全幅或いは全長にわたって、或いは、織物や編物の全幅或いは全長にわたって部分的且つ断続的に直線状に続くように織編み込んで織編する。
その弾性糸条に絡合する糸条には非弾性糸が使用される。例えば、織物では経糸と緯糸の何れか一方に弾性糸条を使用し、その他方に非弾性糸条を使用する。
弾性引込材には、ゴム紐等の紐状弾性体や、ゴムベルト等の弾性樹脂に成る平板な弾性体を使用することも出来る。
【００２５】
弾性引込材１５は、弾性布帛１３との接合点２１では、ミシン糸目１７によって弾性布帛１３に直接または当て布を介して縫合するとよい。
弾性引込材１５のシートフレーム１６との接合点２２となる端部には、フックその他の係止部材を取り付け、或いは、弾性引込材１５の端縁を折り込んで縫製した筒状乃至袋状係合部等によってシートフレーム１６に係合する係合部１８を設ける。
図示する乗り物用シートの側枠材１１・１２とシートフレーム１６は、別々に形成され、組み立てられて一体になっている。しかし、側枠材１１・１２とシートフレーム１６は、一体不離に形成することも出来る。同様に、シートフレーム１６も、乗り物本体フレームと一体不離に形成、即ち、乗り物本体フレームの一部材、例えば、乗り物の床フレームの一部として一体不離に形成することも出来る。
【００２６】
左側枠材１１と右側枠材１２は、図１と図２に示すように扁平断面形状に構成し、それらの側縁を座面１４の中央部側を突き出してシートフレーム１６に設定すると、左側枠材１１から右側枠材１２に至る弾性布帛１３の有効幅（Ｐ・Ｑ）が実質的に短くなり、座面１４に身体を載せて生じる弾性布帛１３の窪み（沈込量）も少なくなり、身体が安定に支えられ、座り心地のよい乗り物用シートが得られる。
【図面の簡単な説明】
【００２７】
【図１】本発明に係る乗り物用シートの断面図である。
【図２】本発明に係る乗り物用シートの組み立て斜視図である。
【符号の説明】
【００２８】
１１・１２：側枠材
１３：弾性布帛
１４：座面
１５：弾性引込材
１６：シートフレーム
１７：ミシン糸目
１８：係合部
２１・２２：接合点
３１・３２：外側縁
４１・４２：内側縁
【図１】
2008093058.tif 000003
【図２】
2008093058.tif 000004